(57)【要約】【課題】診療の利用目的に応じて利用者によって設定されたカテゴリの範囲内において、対象となる診療関連文献に関するカテゴリ単位での重要度の判別を可能とする病院情報システム及び病院情報利用プログラムを提供する。【解決手段】実施の形態における病院情報システムは、入出力装置と、記憶装置とを備える。入出力装置は、診療関連文献の情報と診療関連文献の引用数を基に診療関連文献に付加される評価情報とを表示させる。また入出力装置は、診療関連文献の評価情報を、診療関連文献が含まれるカテゴリ内において適切な評価となるように評価情報を編集する評価情報編集部を備える。記憶装置は、診療関連文献の情報と評価情報とを関連付けて記憶する。【選択図】図３
2019046398.tif 000002
【特許請求の範囲】
【請求項１】
診療関連文献の情報と前記診療関連文献の引用数を基に前記診療関連文献に付加される評価情報とを表示させる入出力装置と、
前記診療関連文献の情報と前記評価情報とを関連付けて記憶する記憶装置と、を備え、
前記入出力装置は、
前記診療関連文献の前記評価情報を、前記診療関連文献が含まれるカテゴリ内において適切な評価となるように前記評価情報を編集する評価情報編集部を備えることを特徴とする病院情報システム。
【請求項２】
前記評価情報編集部は、前記診療関連文献を分類するためのカテゴリを設定、改廃することが可能とされていることを特徴とする請求項１に記載の病院情報システム。
【請求項３】
前記入出力装置は、前記病院情報システムに接続する外部データベースに格納される前記診療関連文献の情報を取得し、当該診療関連文献において引用文献として示されている診療関連文献の情報に前記評価情報を付加する評価情報付加部を備えることを特徴とする請求項１または請求項２に記載の病院情報システム。
【請求項４】
前記評価情報付加部は、前記外部データベースから取得した前記診療関連文献に示される前記引用文献である前記診療関連文献に関する情報が前記記憶装置に記憶されているか否かを前記記憶装置に問い合わせ、前記引用文献の情報が前記記憶装置に記憶されていない場合には、当該引用文献である前記診療関連文献の情報と前記評価情報とを関連付けて記憶するために、前記引用文献である前記診療関連文献の情報を前記記憶装置に記憶させることを特徴とする請求項３に記載の病院情報システム。
【請求項５】
前記評価情報付加部は、前記外部データベースから取得した前記診療関連文献の情報が前記記憶装置に記憶されているか否かを前記記憶装置に問い合わせ、前記診療関連文献の情報が前記記憶装置に記憶されていない場合には、前記診療関連文献の情報を前記記憶装置に記憶させることを特徴とする請求項３または請求項４に記載の病院情報システム。
【請求項６】
前記入出力装置は、さらに、前記診療関連文献の前記評価情報を基に分析を行い、前記カテゴリごと、或いは、複数のカテゴリを組み合わせて多次元に分析結果を表示させることを可能とする評価情報分析部を備えていることを特徴とする請求項１ないし請求項５のいずれかに記載の病院情報システム。
【請求項７】
入出力装置に、
診療関連文献を取得するステップと、
前記診療関連文献を入力された検索条件に基づき検索し表示させるステップと、
表示された前記診療関連文献に付加されている評価情報を前記診療関連文献が含まれるカテゴリ内において適切な評価となるように編集するステップと、
を含む処理を実行させることを特徴とする病院情報利用プログラム。
【請求項８】
入出力装置に、さらに、前記評価情報を前記診療関連文献が含まれる前記カテゴリごと、或いは、複数の前記カテゴリを組み合わせて多次元に表示させるステップを含む処理を実行させることを特徴とする請求項７に記載の病院情報利用プログラム。
【請求項９】
前記診療関連文献を取得するステップは、さらに、
前記診療関連文献を外部データベースから取得するステップと、
取得された前記診療関連文献において引用文献として示されている診療関連文献に前記評価情報を付加するステップと、
前記引用文献に関する情報と前記評価情報とを関連付けて記憶装置に記憶させるステップと、
を含む処理を実行させることを特徴とする請求項７または請求項８に記載の病院情報利用プログラム。
【発明の詳細な説明】
【技術分野】
【０００１】
本発明の実施の形態は、病院情報システム及び病院情報利用プログラムに関する。
【背景技術】
【０００２】
従来から医師や技師といった医療従事者は、必要に応じて診療に関連した文献（以下、適宜「診療関連文献」と表わす）を参照してきた。当該診療関連文献には、例えば、診療や広く医療に関する論文や医療機関内で用いられるカルテや読影レポート等も含まれる。また、当該診療関連文献は、いわゆるビッグデータとして蓄積、分析され、医療従事者（利用者）にとって有効となり得る診療支援の情報として提供されている。
【０００３】
一般的に、このように情報がビッグデータとして活用されると、ビッグデータとして蓄積される情報に対しては、例えば、様々な観点からの評価がなされる。また、当該評価や公開、抽出に関する方法も検討される。
【先行技術文献】
【特許文献】
【０００４】
【特許文献１】特表２００９−５３９１６６号公報
【発明の概要】
【発明が解決しようとする課題】
【０００５】
しかしながら、ビッグデータとして取り扱われる情報は、例えば、その特質から大規模なデータ集合が示す傾向を掴むために用いられる。言い換えれば、ビッグデータを構成する情報ごとの性質等については把握されることは少ない。また、ビッグデータを利用する利用者の側からすると、蓄積された診療に関連する論文、データに対して利用者個々の利用背景を考慮した有効性や信頼性（重要度）の判定が十分になされるものではない。従って、蓄積されたビッグデータが画一的な評価の下、例えば、診療支援の分析データとして採用されてしまう可能性がある。
【０００６】
また、文献がベースとなった診療のデータの分析の場合には、平準化、一般化される傾向にある。診療のデータ分析の利用背景や利用者個々の特性によっては、同一データであってもその重要度が変動することがあるが、それらがデータ分析に十分に反映できていない可能性がある。
【０００７】
本発明は上記課題を解決するためになされたものであり、本発明の目的は、診療の利用目的に応じて利用者によって設定されたカテゴリの範囲内において、対象となる診療関連文献に関するカテゴリ単位での重要度の判別を可能とする病院情報システム及び病院情報利用プログラムを提供することにある。
【課題を解決するための手段】
【０００８】
実施の形態における病院情報システムは、入出力装置と、記憶装置とを備える。入出力装置は、診療関連文献の情報と診療関連文献の引用数を基に診療関連文献に付加される評価情報とを表示させる。また入出力装置は、診療関連文献の評価情報を、診療関連文献が含まれるカテゴリ内において適切な評価となるように評価情報を編集する評価情報編集部を備える。記憶装置は、診療関連文献の情報と評価情報とを関連付けて記憶する。
【図面の簡単な説明】
【０００９】
【図１】実施の形態における病院情報システムを含む全体構成をブロック図。
【図２】実施の形態において病院情報システムを構成する入出力装置を機能的に示す機能ブロック図。
【図３】実施の形態において診療関連文献を病院情報システムに取り込んで、各診療関連文献に付加されたスコアの編集を行い、スコアの分析を行うまでの大まかな流れを示すフローチャート。
【図４】実施の形態における診療関連文献を病院情報システムに取り込む流れを示すフローチャート。
【図５】実施の形態における診療関連文献を病院情報システムに取り込む流れを示すフローチャート。
【図６】実施の形態における診療関連文献を参照、検索する際に表示装置に表示される画面例。
【図７】実施の形態におけるカテゴリ定義を行う際に表示装置に表示される画面例。
【図８】実施の形態における利用者が診療関連文献のスコア編集を行う流れを示すフローチャート。
【図９】実施の形態におけるスコア分析の際に表示装置に表示される画面例。
【図１０】実施の形態におけるスコア分析の際に表示装置に表示される別の画面例。
【発明を実施するための形態】
【００１０】
以下、実施の形態について図面を参照して詳細に説明する。
【００１１】
［病院情報システムの構成］
図１は、実施の形態における病院情報システムＳを含む全体構成をブロック図である。病院情報システムＳは、図１に示すように、入出力装置１と記憶装置２とを備えている。
【００１２】
入出力装置１は、診療関連文献を利用する利用者が使用する装置である。例えば、入出力装置１は、診療関連文献の情報と診療関連文献の引用数を基に診療関連文献に付加される評価情報とを表示させる。
【００１３】
記憶装置２は、例えば、半導体や磁気ディスクで構成されている。記憶装置２は、病院情報システムＳの外部から取得される診療関連文献の情報を記憶する。具体的には、記憶装置２は、診療関連文献内において引用されている文献の情報と当該引用されている文献の引用数を基に付加される評価情報とを関連付けて記憶する。また、病院情報システムＳ内にて発生した診療関連文献が記憶されていても良い。
【００１４】
ここで本実施の形態における病院情報システムＳを構成する装置やシステムについては様々な態様が考えられるが、ここでは、例えば、図１に示す構成を備える。従って、病院情報システムＳが図１に示す構成以外の構成を備えていても構わない。また、当該病院情報システムＳは、例えば、室内に固定されている装置または装置群等であっても良く、或いは、可搬性を備えていても良い。
【００１５】
また、病院情報システムＳは、それ自体独立したシステムとして構成されても良いが、病院情報管理システム（ＨＩＳ：Ｈｏｓｐｉｔａｌ  Ｉｎｆｏｒｍａｔｉｏｎ  Ｓｙｓｔｅｍ）、放射線部門情報管理システム（ＲＩＳ：Ｒａｄｉｏｌｏｇｉｃａｌ  Ｉｎｆｏｒｍａｔｉｏｎ  Ｓｙｓｔｅｍ）、医用画像管理システム（ＰＡＣＳ：Ｐｉｃｔｕｒｅ  Ａｒｃｈｉｖｉｎｇ  Ｃｏｍｍｕｎｉｃａｔｉｏｎ  Ｓｙｓｔｅｍ）といった医療機関内に構築された各種管理システムの全て、或いは、その一部を構成するようにされていても良い。
【００１６】
病院情報システムＳは、通信ネットワークＮに接続されており、当該通信ネットワークＮを介して、第１のビッグデータデータベース３１或いは第２のビッグデータデータベース３２と接続されている。第１のビッグデータデータベース３１或いは第２のビッグデータデータベース３２には、ビッグデータである診療関連文献に関する情報が格納されている。利用者が診療関連文献を利用する場合には、例えば、この第１のビッグデータデータベース３１或いは第２のビッグデータデータベース３２に格納されている診療関連文献の情報を取得し、後述する入出力装置１の出力装置に表示させる。
【００１７】
このように、ビッグデータとしての診療関連文献に関する情報は、第１のビッグデータデータベース３１或いは第２のビッグデータデータベース３２に格納されており、当該第１のビッグデータデータベース３１或いは第２のビッグデータデータベース３２は、病院情報システムＳの内部ではなく、その外部に存在していることが前提である。従って、第１のビッグデータデータベース３１或いは第２のビッグデータデータベース３２は、病院情報システムＳに対する外部データベースである。
【００１８】
但し、診療関連文献のうち、論文等以外の、例えば、電子カルテや読影レポート等については、第１のビッグデータデータベース３１或いは第２のビッグデータデータベース３２ではなく、例えば、病院情報システムＳ内に設けられている電子カルテサーバといった装置に格納されていても良い。この場合には、診療関連文献は、当該電子カルテサーバ等から診療関連文献に関する情報を取得する。
【００１９】
なお、病院情報システムＳは、上述した第１のビッグデータデータベース３１或いは第２のビッグデータデータベース３２以外にも、通信ネットワークＮを介して、図示しない、例えば、画像サーバ、ワークステーション、或いは、モダリティと接続されていても良い。
【００２０】
図１においては、ビッグデータデータベースは、第１のビッグデータデータベース３１と第２のビッグデータデータベース３２の２つが示されている。但し、通信ネットワークＮに接続されるビッグデータデータベースの数についてはこれら２つに限られずこれ以上の数であっても良い。これら第１のビッグデータデータベース３１と第２のビッグデータデータベース３２については、以下、適宜２つをまとめて「ビッグデータデータベース３」と表わす。
【００２１】
また、ビッグデータデータベース３としては、診療関連文献に関するビッグデータのみが格納されるビッグデータデータベース３だけではなく、その他の種類のビッグデータも併せて格納するビッグデータデータベース３であっても良い。
【００２２】
通信ネットワークＮは、病院情報システムＳとビッグデータデータベース３とをそれぞれつなぎ、互いの間で、例えば診療関連文献の情報のやりとりを可能とする。通信ネットワークＮの例としては、インターネットを挙げることができるが、その他ＬＡＮ（Ｌｏｃａｌ  Ａｒｅａ  Ｎｅｔｗｏｒｋ）等のネットワークも挙げられる。また、この通信ネットワークＮを介してやり取りされる情報に関する規格は、ＤＩＣＯＭ（Ｄｉｇｉｔａｌ  Ｉｍａｇｉｎｇ  ａｎｄ  Ｃｏｍｍｎｉｃａｔｉｏｎｓ  ｉｎ  Ｍｅｄｉｃｉｎｅ）等、いずれの規格であっても良い。また、通信ネットワーク等との接続に当たっては、有線、無線を問わない。
【００２３】
なお、ここで実際に病院情報システムＳとビッグデータデータベース３との間でやり取りされる情報やビッグデータデータベース３内に格納される情報は診療関連文献の情報（データ）であり、診療関連文献そのものではない。すなわち、診療関連文献は、例えば紙媒体で存在することも多いと考えられるが、ビッグデータデータベース３に格納されることからも理解できるように、ここで利用されるのは、あくまでも例えば紙媒体である診療関連文献そのものではなく、当該診療関連文献の情報である。一方で診療関連文献は診療関連文献の情報と同一視することができることから、以下の説明においては、適宜「診療関連文献」の語句も使用する。
【００２４】
次に入出力装置１の内部構成について以下詳細に説明する。なお、本発明の実施の形態においては、入出力装置１の例として、例えば、診療ワークステーションや読影医が使用するパソコン等を想定している。また、入出力装置１は、例えば、可搬型のタブレットやスマートフォン等の携帯情報端末であっても良い。
【００２５】
但し、これらの装置に限定されるものではなく、例えば、被検体内部の情報を収集し、この収集された情報に基づいて被検体内部を画像化して医用画像を登録する医用画像診断装置も入出力装置１として機能する。この医用画像診断装置としては、例えば、Ｘ線ＣＴ装置（ｃｏｍｐｕｔｅｄ  ｔｏｍｏｇｒａｐｈｙ：コンピュータ断層撮影装置）、磁気共鳴診断装置（ＭＲＩ：ｍａｇｎｅｔｉｃ  ｒｅｓｏｎａｎｃｅ  ｉｍａｇｉｎｇ）や超音波画像診断装置等を挙げることができる。
【００２６】
図２は、実施の形態において病院情報システムＳを構成する入出力装置１を機能的に示す機能ブロック図である。
【００２７】
入出力装置１は、処理回路１１及び入出力インターフェイス１２がバス１３を介して接続されている。入出力インターフェイス１２には、さらに入力装置１４と、出力装置１５と、記憶回路１６と、通信制御回路１７と、リムーバブルディスク１８とが接続されている。
【００２８】
処理回路１１は、上述した入出力装置１を構成する各部を制御する。具体的な構成としては、例えば、図１では図示しない、ＣＰＵ（Ｃｅｎｔｒａｌ  Ｐｒｏｃｅｓｓｉｎｇ  Ｕｉｎｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）を備える。
【００２９】
ＣＰＵは、入力装置１４からの入力信号に基づいてＲＯＭから入出力装置１を起動するためのブートプログラムを読み出して実行し、記憶回路１６に格納されている各種オペレーティングシステムを読み出す。また処理回路１１は、入力装置１４や入出力インターフェイス１２を介して、図２において図示していないその他の外部機器からの入力信号に基づいて各種装置の制御を行う。
【００３０】
またＣＰＵは、ＲＡＭや記憶回路１６等に記憶されたプログラム及びデータを読み出してＲＡＭにロードする。そして、ＣＰＵは、例えば、ＲＡＭから読み出されたプログラムのコマンドに基づいて、ビッグデータデータベース３から診療関連文献の情報を取得し、表示用データとして登録し出力装置１５に表示する制御を行う。また、診療関連文献に評価情報を付加、或いは、付加された評価情報の修正を行うための処理やデータの計算、加工等、一連の処理を実現する。処理回路１１については、詳細は後述する。
【００３１】
入力装置１４は、入出力装置１の利用者による様々な入力操作を受け付ける。入力装置１４は、利用者の操作に基づいて入力信号を作成し、当該入力信号はバスＢを介して処理回路１１に送信される。例えば、診療関連文献の参照画面（後述）における、利用者による診療関連文献の評価情報の編集に関する入力操作を受け付ける。当該入力装置１４としては、例えば、ＧＵＩ、或いは、ボタンやキーボード、トラックボール、出力装置１５に表示されるタッチパネル等の入力デバイスを採用することが可能である。
【００３２】
出力装置１５は、例えば液晶ディスプレイや有機ＥＬ（Ｅｌｅｃｔｒｏｌｕｍｉｎｅｓｃｅｎｃｅ）ディスプレイである。この出力装置１５は、処理回路１１からバスＢを介して出力信号を受信し、例えば診療関連文献のスコアの修正を行うために必要な画像等、或いは処理回路１１の処理結果や操作画面（例えば、利用者から各種指示を受け付けるためのＧＵＩ（Ｇｒａｐｈｉｃａｌ  Ｕｓｅｒ  Ｉｎｔｅｒｆａｃｅ））等を表示する。
【００３３】
記憶回路１６は、例えば、半導体や磁気ディスク等で構成されている。記憶回路１６には、処理回路１１で実行されるプログラムやデータが記憶されている。すなわち、例えば、病院情報利用プログラムが記憶されている。当該病院情報利用プログラムが処理回路１１に実装されることにより、ビッグデータデータベース３から診療関連文献の情報を取得する際に、当該診療関連文献内における引用文献に対してスコアを付加する処理、診療関連文献に付加された評価情報の編集処理や評価情報分析処理が入出力装置１において可能となる。
【００３４】
通信制御回路１７は、ＬＡＮカードやモデム等の手段であり、入出力装置１をインターネットやＬＡＮ等の、上述した通信ネットワークＮに接続することを可能とする手段である。通信制御回路１７を介して通信ネットワークと送受信したデータは入力信号または出力信号として、入出力インターフェイス１２及びバス１３を介して処理回路１１に送受信される。
【００３５】
リムーバブルディスク１８は、光ディスクやフレキシブルディスクのことであり、ディスクドライブによって読み書きされた信号は、入出力インターフェイス１２及びバスＢを介してＣＰＵ１１に送受信される。また、例えば、病院情報利用プログラムは当該リムーバブルディスク１８に格納されており、リムーバブルディスク１８から読み込まれることで病院情報利用プログラムが病院情報システムＳに実装されることとしても良い。一方で、リムーバブルディスク１８は、病院情報システムＳに含まれない構成とすることも可能である。
【００３６】
処理回路１１は評価情報付加機能、評価情報編集機能、評価情報分析機能を実行する。なお、特許請求の範囲における評価情報付加部は評価情報付加機能に、評価情報編集部は評価情報編集機能に、評価情報分析部は評価情報分析機能に、それぞれ対応する。
【００３７】
処理回路１１の評価情報付加機能は、ビッグデータデータベース３から病院情報システムＳに診療関連文献に関する情報を取得するとともに、取得した診療関連文献内において引用されている文献（引用文献）について評価情報を付加する。
【００３８】
なお、診療関連文献の中で引用文献は、多くの場合診療に関連した文献となる。従って、引用文献自体も「診療関連文献」である。そして、引用文献とされた文献であっても、場面が変われば、診療関連文献でありその中でまた別の診療関連文献が引用文献として挙げられることになる。そのため、以下の説明において引用文献を診療関連文献と表記して説明すると、引用文献として診療関連文献を挙げたビッグデータデータベース３等から病院情報システムＳが取得した診療関連文献との混乱を生じかねない。
【００３９】
そこで、以下の説明においては、利用者が閲覧等するべく、ビッグデータデータベース３等から病院情報システムＳが取得した文献を「診療関連文献」と表記する。一方、当該「診療関連文献」内において引用された文献については「引用文献」と表記する。
【００４０】
なお、診療関連文献によっては、引用する文献を「参照文献」、或いは、「参考文献」等と表記している文献もあるものと考えられる。これらの文献を引用文献に含めるか否かは任意に設定することができる。ここでの説明では、表記の揺れはあれど、いずれも「引用文献」として評価の対象とする。
【００４１】
また、「評価情報」とは、診療関連文献に対して付加された何らかの評価に関する情報を示している。ここでは、まずビッグデータデータベース３等から病院情報システムＳが診療関連文献を取得した際に、当該診療関連文献内において挙げられた引用文献に対して、引用された事実を評価する。
【００４２】
評価の仕方としては、例えば、診療関連文献内において１回引用されるごとに、ポイントを付加する方法が考えられる。また、診療関連文献内において引用される事実を何らかのポイントに置き換えて、当該ポイントを評価値とすることもできる。従って、診療関連文献において引用された事実に対して何らかの評価を与えることができれば良く、その方法については任意に設定することができる。
【００４３】
なお、本発明の実施の形態においては、評価結果、すなわち、評価情報を点数（スコア）で表示するものとする。従って、以下においては、「評価情報」を適宜「スコア（スコア情報）」と表示する場合がある。また、図面においては、「スコア」或いは、「スコア情報」と示されている。
【００４４】
入出力装置１の利用者は、例えば、診察や読影の際、或いは、論文の執筆時等の場面で、診療関連文献を閲覧することがある。利用者は入力装置１４を操作して、例えばビッグデータデータベース３から論文、或いは、医療機関内に構築されたシステムから電子カルテ等を出力装置１５に表示させる。すなわち、処理回路１１は、評価情報付加機能を用いて、まず、ビッグデータデータベース３等から診療関連文献に関する情報を取得する。
【００４５】
処理回路１１では、取得した診療関連文献内で引用されている文献に関する情報が記憶装置２内に記憶（登録）されているか否か、確認する。これは、記憶装置２では、引用文献に関する情報と当該引用文献に対する評価情報とを関連付けて記憶するため、可能であれば、記憶装置２に当該引用文献に関する情報が登録されていることが望ましいからである。
【００４６】
但し、事前に引用文献に関する情報が記憶装置２に登録されていなくても、当該確認処理が行われた際に、新たにビッグデータデータベース３等から該当する引用文献に関する情報を取得し、当該引用文献に関する情報を記憶装置２に登録させることは可能である。
【００４７】
処理回路１１では、診療関連文献に関する情報を取得すると、診療関連文献内に記載されている引用文献を抽出する。引用文献は、例えば、診療関連文献の末尾、或いは、項目の最後に記載されていることが多い。そこで、引用文献を抽出するに当たっては、このような診療関連文献の構造や「引用文献」、「参照文献」といった文字を基に抽出する。なお、この抽出処理については、既存の技術を利用することができる。
【００４８】
処理回路１１は、評価情報付加機能によって、診療関連文献において引用されている引用文献に対して評価情報を付加する。どのような評価情報を付加するかについては、上述したように任意に設定することができる。処理回路１１は、引用文献に関する情報と付加した評価情報とを合わせて通信制御回路１７を介して入出力装置１から記憶装置２へと送信する。
【００４９】
なお、処理回路１１では、利用者が、例えば閲覧のために取得した診療関連文献内における全ての引用文献に対して同じ処理を行う。また、取得した診療関連文献が複数ある場合には、全ての診療関連文献内の引用文献について同様の処理を行い、引用文献に関する情報及び評価情報を記憶装置２へ送信する。入出力装置１から送信された、引用文献に関する情報及び評価情報を受信した記憶装置２では、両者を関連付けて格納（記憶）する。
【００５０】
なお、ビッグデータデータベース３から診療関連文献に関する情報を取得するに当たって、処理回路１１では、該当する診療関連文献の全ての内容を含む情報を取得せずとも足りる。すなわち、処理回路１１では、評価情報付加機能を用いて、取得した診療関連文献内における引用文献に対して評価情報を付加することになるため、少なくとも、診療関連文献の中でどの文献が引用文献として引用されたのか、そのことが把握できさえすれば、当該引用文献に対する評価情報を付加することは可能となる。
【００５１】
そこで、記憶装置２では、例えば引用文献の全ての内容を含む引用文献に関する情報を記憶するのではなく、当該引用文献を識別するためのインデックスを作成し、当該インデックスを記憶することとしても良い。従って、入出力装置１は、診療関連文献から引用文献に関する情報を把握し、当該引用文献に対する評価情報が付加された場合に、記憶装置２では送信されてきた付加された評価情報を該当する引用文献を示すインデックスに関連付けて記憶させることとしても良い。
【００５２】
この場合、引用文献に関する全ての情報は、例えばビッグデータデータベース３から病院情報システムＳに対して送信されずビッグデータデータベース３内にあり、病院情報システムＳの入出力装置１とビッグデータデータベース３とは、いわゆるシンクライアントシステムとして構成される。
【００５３】
このように処理回路１１は、評価情報付加機能を用いて記憶装置２に評価情報と、必要に応じて引用文献に関する情報を送信する。一方、上述した通り、例えば、ビッグデータデータベース３から取得された診療関連文献であっても、別の診療関連文献の中では引用文献として挙げられている可能性がある。
【００５４】
そこで、当該引用文献が記載されていた診療関連文献に関する情報が記憶装置２に登録されているか否かを確認する。記憶装置２に当該診療関連文献に関する情報が登録されていない場合には、処理回路１１は、新たに当該診療関連文献に関する情報をビッグデータデータベース３等から取得し、記憶装置２に送信する。記憶装置２では、送信されてきた当該診療関連文献に関する情報を登録する。
【００５５】
処理回路１１は、さらに、評価情報編集機能を備えている。この評価情報編集機能は、引用文献（診療関連文献）に付加されている評価情報を、診療関連文献が含まれるカテゴリ内において適切な評価となるように編集する機能である。すなわち、元々付加されていた評価情報について、利用者が入力装置１４の操作を行って入力された情報に書き換えるものである。
【００５６】
なお、編集処理によって元々付加されていた評価情報を新たな評価情報に書き換える処理をしても、或いは、元々付加されていた評価情報と新たな評価情報のいずれも記憶する処理を行うようにしても良い。
【００５７】
ここで「カテゴリ」とは、診療の利用目的に応じて利用者が自由に設定した分類のことである。カテゴリとしては、例えば、「研究対象となる部位」、「診療科」、「地域」、「外部環境」、「診療の状態」等を挙げることができる。さらに例えば、「地域」というカテゴリの場合、日本のある特定の地域で分類しても、或いは、日本全国、アジア地域、オセアニア地域、といった世界で分類しても良い。
【００５８】
引用されている事実をもって付加される評価情報は、当該評価情報に意味があるものの、画一的な評価情報の付加とならざるを得ない。一方で、診療関連文献は、当該診療関連文献が含まれるカテゴリによっては、評価が異なることは十分にあり得ることである。例えば、診療関連文献に記載されている内容が、ある特定の地域における高い治療効果についての内容である場合、その特定の地域を示すカテゴリの中では高い評価を受ける可能性が高い。一方で、その他の地域を示すカテゴリに当該診療関連文献が含まれる場合には、特定の地域を示すカテゴリで示されるような高い評価は得られない可能性がある。
【００５９】
このように、当該診療関連文献がいずれのカテゴリに含まれるかによって、利用者が当該診療関連文献に下す評価は上下する。そこで、引用されている事実をもって得た評価情報を基に、その診療関連文献が含まれたカテゴリにおいて適切な評価となるように評価情報の編集を行うことが必要となる。
【００６０】
さらに、評価情報の編集処理が行われる際に利用者のＩＤを入力させることとしても良い。これは、例えば、カテゴリは利用者ごとに、或いは、例えば、診療科ごとに設定されており、利用者や診療科ごとに診療関連文献に対する評価が異なるからである。例えば、１つの診療関連文献に対して、異なる評価を下す利用者がその評価を互いに編集することになると、当該診療関連文献に対する評価が安定せず、利用者によって適切な評価が付加されないことになる。
【００６１】
そこで、設定されたカテゴリにアクセス可能な利用者を限定することで同じ診療関連文献に対する評価をある程度の均質化することができる。そのために、評価情報の編集処理を行う際には、利用者のＩＤを入力させてアクセス可能なカテゴリを限定することとしても良い。
【００６２】
利用者は、例えば、評価情報がスコアで表示されている場合には、当該スコアを変更する。具体的には、例えばこれまで「＋１００」とされていた評価情報を、「−４０」というように変更する。また、評価情報が、例えばランクで示されている場合には、利用者は当該カテゴリにおける診療関連文献に適したランクに修正する。このように修正の仕方は、評価情報の形式によって異なる。
【００６３】
利用者は、編集が必要と思われる診療関連文献を選択して評価情報の修正処理を行うことができる。また、複数のカテゴリに同一の診療関連文献が含まれる場合には、カテゴリごとに当該診療関連文献の修正処理を行って、同一の診療関連文献ではあるものの、カテゴリごとに評価情報を変化させることも可能である。
【００６４】
処理回路１１は、さらに評価情報分析機能を備えている。上述したように、評価情報付加機能によって、ビッグデータデータベース３等から診療関連文献が取得され、引用文献に関する情報と当該引用文献に対する評価情報とが記憶装置２に記憶される。また、この評価情報に対しては、利用者が診療関連文献が含まれるカテゴリにおいて適した評価情報とするべく、処理回路１１の評価情報編集機能を利用して評価情報の編集を行う。これらの処理が行われることによって、各カテゴリに含まれる診療関連文献はそれぞれのカテゴリにおいて適した評価情報を持つことになる。そこで、さらに、これらの評価情報を利用して診療関連文献の二次利用を図るために利用されるのが評価情報分析機能である。
【００６５】
処理回路１１は、評価情報分析機能を用いて、診療関連文献の評価情報を基に分析を行う。さらに、カテゴリごと、或いは、複数のカテゴリを組み合わせて多次元に分析結果を出力装置１５に表示させることもできる。例えば、１つのカテゴリ内において、評価情報に基づいて昇順、或いは、降順に診療関連文献を並べ替えて表示させることができる。
【００６６】
或いは、２つのカテゴリに含まれる複数の診療関連文献を用いて、一方のカテゴリを横軸に、他方のカテゴリを縦軸に取ってそれぞれの診療関連文献を２次元に配置し、出力装置１５に表示させることもできる。さらには、３次元で表示させることも可能である。
【００６７】
また、分析処理の対象としては新たな評価情報が付与された診療関連文献を挙げルことができる。但し、このような診療関連文献に限らず、記憶装置２内に記憶されている診療関連文献を用いて評価情報の分析処理を行っても良いことはもちろんである。
【００６８】
なお、ここで例えば、処理回路１１の評価情報付加機能、評価情報編集機能、評価情報分析機能については、所定のメモリ（記憶回路１６）やリムーバブルディスク１８等に記憶されるプログラムをプロセッサ（処理回路１１）に実行させるソフトウェアによって実現することを前提としている。ここで本明細書における「プロセッサ」という文言は、例えば、専用又は汎用のＣＰＵ（Ｃｅｎｔｒａｌ  Ｐｒｏｃｅｓｓｉｎｇ  Ｕｎｉｔ）  ａｒｉｔｈｍｅｔｉｃ  ｃｉｒｃｕｉｔ（ｃｉｒｃｕｉｔｒｙ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００６９】
プロセッサは、記憶回路１６に保存された、又は、プロセッサの回路内に直接組み込まれたプログラムを読み出し実行することで機能を実現する。プログラムを記憶する記憶回路１６は、プロセッサごとに個別に設けられるものであっても構わないし、或いは、例えば、図１における処理回路１１が行う評価情報付加機能、評価情報編集機能、評価情報分析機能に対応するプログラムを記憶するものであっても構わない。記憶回路１６の構成については、上述した通りである。
【００７０】
［処理の流れ］
次に、例えば、利用者が診療関連文献を参照するためにビッグデータデータベース３等から診療関連文献に関する情報を取得し、評価情報を付加して記憶装置２に記憶させるとともに、当該評価情報を編集し、分析する、各処理の流れをフローチャートを用いて説明する。
【００７１】
図３は、実施の形態において診療関連文献を病院情報システムＳに取り込んで、各診療関連文献に付加されたスコアの編集を行い、スコアの分析を行うまでの大まかな流れを示すフローチャートである。
【００７２】
評価情報を編集、分析する処理の前提として、診療関連文献に対して評価情報を付加する処理が行われる。すなわち、まず、診療関連文献をビッグデータデータベース３等から取得する処理が、入出力装置１の評価情報付加機能を用いて行われる（ＳＴ１）。
【００７３】
図４、図５は、実施の形態における診療関連文献を病院情報システムＳに取り込む流れを示すフローチャートである。なお、図４、図５に示すフローチャートにおいては、ビッグデータデータベース３等から取得される診療関連文献については、単に「文献」と示されている。
【００７４】
処理回路１１は、診療関連文献の取り込み処理が開始されるまで待機となる（図４のＳＴ１１）。処理回路１１では、評価情報付加機能を用いて、出力装置１５に表示された診療関連文献を取り込む処理を開始する（ＳＴ１１のＹＥＳ）。
【００７５】
なお、処理回路１１が診療関連文献を取り込む処理を開始するトリガとなる処理は、上述したような出力装置１５上への表示のみならず、例えば、利用者による診療関連文献の取り込みボタンを押し下げる等、診療関連文献の取り込み処理の開始指示そのものであっても良い。
【００７６】
上述した通り、例えば利用者が診療関連文献を出力装置１５に表示させる場合、処理回路１１は診療関連文献をビッグデータデータベース３等から取得する（ＳＴ１２）。処理回路１１は、取得した診療関連文献を出力装置１５に表示させる。
【００７７】
その上で、処理回路１１は、評価情報付加機能を用いて、当該診療関連文献に引用文献が挙げられているか否か判定する（ＳＴ１３）。図４のステップＳＴ１３においては、「引用文献」と記載しているが、当該判定は、上述したように、例えば、「引用文献」、「参照文献」、「参考文献」等、予め定められている語句を抽出することができたか否かを基準として行われる。
【００７８】
診療関連文献に引用文献が挙げられていると判定された場合には（ＳＴ１３のＹＥＳ）、処理回路１１は１件の引用文献ごとに評価情報を付加する処理を進める。すなわち、複数の引用文献を抽出した場合には、順に評価情報の付加処理を行う。まず、処理回路１１は、記憶装置２に対して評価情報の付加の対象となる引用文献に関する情報が登録されているか否かを確認する（ＳＴ１４）。
【００７９】
登録の有無を確認した（ＳＴ１５）結果、記憶装置２内に引用文献に関する情報が登録されていない場合には（ＳＴ１５のＮＯ）、処理回路１１は、当該引用文献に関する情報をビッグデータデータベース３等から取得する（ＳＴ１６）。一方で、記憶装置２内に引用文献に関する情報が登録されている場合には（ＳＴ１５のＹＥＳ）、新たに取得する必要はない。そして入出力装置１の処理回路１１は、評価情報付加機能を用いて、引用文献に対して予め定められた評価情報を付加する（ＳＴ１７）。
【００８０】
評価情報としては、例えば、診療関連文献内において引用されたことに対してスコアを挙げることができる。そこで処理回路１１は、当該引用文献に対してスコアを付加する。
【００８１】
そして、処理回路１１は、診療関連文献内において引用されている全ての引用文献に対してこれまで説明してきた評価情報の付加処理を行う。すなわち、処理回路１１は、全ての引用文献に評価情報を付加したか否かを確認し（ＳＴ１８）、未だ評価情報を付加していない引用文献が残っている場合には（ＳＴ１８のＮＯ）、ステップＳＴ１４に戻り上述した評価情報の付加処理を続ける。
【００８２】
一方、全ての引用文献に対して評価情報を付加した場合には（ＳＴ１８のＹＥＳ）、処理回路１１は、付加された評価情報を記憶装置２に送信する（図５のＳＴ１９）。なお、元々記憶装置２に引用文献に関する情報が登録されていなかった場合には、上述したように新たビッグデータデータベース３等から該当する引用文献を取得している。そこでこの場合には、付加された評価情報と引用文献に関する情報をと合わせて記憶装置２に送信する。
【００８３】
なお、引用文献に関する情報及び付加された評価情報の、入出力回路１から記憶装置２への送信に当たっては、複数の引用文献がある場合に、これらをまとめて送信しても良い。また、評価情報が付加されるごとに、引用文献ごとに都度入出力回路１から記憶装置２へ送信するように処理しても良い。
【００８４】
記憶装置２では、入出力装置１から送信されてきた付加された評価情報を引用文献に関する情報に関連づけて記憶する（ＳＴ２０）。また、引用文献に関する情報と評価情報とがまとめて送信されてきた場合には、これらを関連付けて記憶する。以上にて診療関連文献に挙げられた引用文献に関する情報と当該引用文献に付加された評価情報とが関連付けられて記憶装置２に記憶された。
【００８５】
さらに、処理回路１１は、引用文献を挙げていた、診療関連文献について、診療関連文献に関する情報が記憶装置２に記憶されているか否か、併せて記憶装置２に問い合わせる（ＳＴ２１）。なお、診療関連文献において引用文献が挙げられていなかった場合（図４のＳＴ１３のＮＯ）にも、当該診療関連文献の情報が記憶装置２に記憶されているか否か問い合わせる。
【００８６】
既に診療関連文献に関する情報が登録されているか否か、記憶装置２内を確認した結果、当該診療関連文献に関する情報が登録されていなかった場合には（ＳＴ２２のＮＯ）、処理回路１１は、取得した診療関連文献に関する情報を記憶装置２に送信する（ＳＴ２３）。一方、当該診療関連文献に関する情報が登録されていた場合には（ＳＴ２２のＹＥＳ）、記憶装置２では、当該診療関連文献に関する情報を記憶する（ＳＴ２４）。以上で診療関連文献内において挙げられている引用文献に対して評価情報を付加する処理が終了する。
【００８７】
図３に戻り、利用者は、出力装置１５に表示されている診療関連文献を閲覧する（ＳＴ２）。なお、ここでは引用文献に対する評価情報の付加処理の後に利用者の診療関連文献の閲覧について記載しているが、ステップＳＴ１において入出力装置１が診療関連文献をビッグデータデータベース３等から取得した時に当該診療関連文献は出力装置１５に表示されている。従って、上述した引用文献に対する評価情報の付加処理は、利用者による診療関連文献の閲覧と並行して行われている処理である。
【００８８】
診療関連文献の取得について、これまでは、利用者が既に閲覧の対象となる診療関連文献を表示させている状態を例に挙げて説明してきた。但し、最初から閲覧対象となる診療関連文献が決まっていない場合も考えられる。この場合には、利用者は出力装置１５に検索画面を表示させて所望の診療関連文献を検索する。
【００８９】
図６は、実施の形態における診療関連文献を参照、検索する際に出力装置１５に表示される画面例である。図６に示すように、出力装置１５には、診療関連文献参照画面が表示されている。当該画面には、診療関連文献を検索する検索フィールド１５１と検索結果表示フィールド１５２とが表示されている。
【００９０】
検索フィールド１５１では、利用者が診療関連文献を検索する際に、何らかの検索キーワードを入力することで所望の診療関連文献が検索できるように構成されている。すなわち、検索フィールド１５１では、フリーワード検索が行われる。
【００９１】
検索フィールド１５１には、どのような領域でフリーワードを入力して検索を行うかを示す、３つのオプションが表示されている。「文献検索」は、診療関連文献に関連するキーワードが入力される際に選択されるオプションである。「作成者検索」は、診療関連文献の作成者をキーワードとして検索する際に選択されるオプションである。そして「カテゴリ検索」は、診療関連文献が分類されるカテゴリをキーワードとして検索する際に選択されるオプションである。
【００９２】
利用者は、例えば、マウス等の入力装置１４を用いていずれかのオプションを選択する。各オプションの前には、いわゆるラジオボタンが表示されており、選択されたオプションを示すようにされている。図６に示す画面例では、「文献検索」が選択されている状態が示されている。利用者は、このようにいずれかのオプションを選択した上で、フリーワード検索と表示されている下部に設けられている入力欄にフリーワードを入力する。そして、オプションの欄と同列右側に示されている「検索実行」のボタンを押し下げる。
【００９３】
図６に示す「診療関連文献参照画面」の下部には、検索結果表示フィールド１５２が示されている。当該検索結果表示フィールド１５２では、「検索結果表示」との表示項目の下に、検索された文献が表示されている。図６では、検索結果表示フィールド１５２に文献Ａないし文献Ｄの４つの文献が表示されている。
【００９４】
文献の表示は、例えば、タイトルのみ、タイトルと作成者名、或いは、タイトル等の書誌的事項だけではなく、例えば、内容の要約も含めて表示する、というように、いずれかの態様で表示される。また、いずれの表示態様を採用するかは任意に設定することができる。また、検索された診療関連文献が含まれるカテゴリについても表示される。
【００９５】
「検索結果表示」の記載の横には、「スコア順にソート」という記載がなされ、チェックボックスにチェックを入れることで、検索された文献がスコア順に並べ替えられる。また、「スコア順にソート」の表示の右側には、「詳細表示」のボタンが設けられている。当該「詳細表示」のボタンは、検索された各文献の中から選択された文献について、その内容を詳細に表示するために用いられる。
【００９６】
なお、文献の選択は、例えば、各文献の表示欄に設けられているラジオボタンをクリックすることによって選択される。この他、例えば、表示された文献の欄そのものをクリックすることによっても選択可能とされていても良い。
【００９７】
「詳細表示」のボタンの右側には、「スコア編集」のボタンが設けられている。このスコア編集ボタンは、利用者が後述するスコア（評価情報）の編集を行う際に利用する。
【００９８】
さらに、図６に示す「診療関連文献参照画面」の右上には、「カテゴリ定義」ボタンが表示されている。「カテゴリ」とは、上述したように、診療の利用目的に応じて利用者が自由に設定することが可能な分類のことであり、診療関連文献は、適宜関係するカテゴリに分類される。「カテゴリ」は、利用者が適宜設定するが、設定可能なカテゴリの数に制限はなく、利用者が必要に応じて設定、改廃することができる。
【００９９】
利用者がこのような「カテゴリ定義」ボタンを押し下げると、図７に示すような、カテゴリを作成するカテゴリ定義画面１５Ａを起動することができる。図７は、実施の形態において利用者がカテゴリ定義を行う際に出力装置１５に表示されるカテゴリ定義画面１５Ａの画面例である。
【０１００】
カテゴリ定義画面１５Ａには、利用者によって文字等が入力される入力領域が設けられている。入力領域には、図７において、「既定のカテゴリの検索、或いは、新規定義領域」と示されている。「既定のカテゴリの検索」については、カテゴリを新たに設定するに当たって、既定のカテゴリとしてどのようなカテゴリが定義されているかを利用者が確認する際に用いられる。つまり、利用者が任意のカテゴリ名を入力領域に入力することがカテゴリの検索が可能である。そして、入力欄の上部に示されている「検索」ボタンを押し下げることによって、既定のカテゴリが検索される。
【０１０１】
また、新たなカテゴリを設定する際にもそのカテゴリ名が入力欄に入力されることになる。「新規定義領域」はこのことを示している。新たなカテゴリを設定する場合には、利用者は入力欄にカテゴリ名を入力し、「ＯＫ」ボタンを押し下げる。この動作により、新たなカテゴリが設定され、記憶装置２内に記憶される。
【０１０２】
新たなカテゴリが設定されると、当該カテゴリに関係する診療関連文献が当該カテゴリに格納される。例えば、カテゴリ名となっている語句を基に診療関連文献内部を検索し、同一、或いは、類似の語句が記載されている診療関連文献を抜き出してカテゴリに格納する。また、利用者が診療関連文献の内容に合わせて適切なカテゴリに分類することも可能である。
【０１０３】
なお、既に設定されているカテゴリを廃止することも可能である。この場合には、廃止するカテゴリを入力欄に記載し、ＯＫボタンの横に表示されている「キャンセル」ボタンを押し下げる。
【０１０４】
以上説明したように、例えば、図６に示すような診療関連文献参照画面が出力装置１５に表示されている状態で、利用者によって診療関連文献の検索等が行われる。処理回路１１では、検索結果を示す当該診療関連文献参照画面が表示されている状態で、利用者によってスコア（評価情報）の編集処理が開始されるか否か、確認する（ＳＴ３）。利用者が検索された診療関連文献の１つを選択して「スコア編集」ボタンを押し下げると、評価情報編集処理を行う旨の信号が処理回路１１に入力されて（ＳＴ３のＹＥＳ）、評価情報の編集処理が開始される（ＳＴ４）。
【０１０５】
なお、例えば、評価情報の編集処理が開始されない場合には（ＳＴ３のＮＯ）、評価情報の編集処理は行われず、後述する評価情報分析が開始されるか否かの確認処理に遷移する。
【０１０６】
なお、以下においては、評価情報の編集処理について、評価情報として「スコア」を採用していることを前提に適宜説明する。従って、図面上でも「評価情報編集」については、「スコア編集」と示されている。
【０１０７】
図８は、実施の形態における利用者が診療関連文献のスコア編集を行う流れを示すフローチャートである。診療関連文献参照画面におけるスコア編集ボタンが利用者によって押し下げられると、上述したように、検索された診療関連文献の中から選択された診療関連文献に関する画面が開く。当該画面のレイアウトは任意に設定することが出来るが、少なくとも当該診療関連文献に付加されている評価情報（スコア）が表示され、この評価情報（スコア）が編集可能な状態とされている。
【０１０８】
この状態で、出力装置１５上には、利用者のＩＤを入力する画面が重ねて表示される（ＳＴ３１）。利用者ＩＤが入力されない場合には（ＳＴ３１のＮＯ）、利用者ＩＤが入力されるまで待機状態となる。
【０１０９】
一方、利用者ＩＤの入力画面が表示されて、利用者によるＩＤの入力処理が行われると（ＳＴ３１のＹＥＳ）、次に、処理回路１１は、評価情報の編集対象となる診療関連文献が選択されているか否か、確認する（ＳＴ３２）。これは元々診療関連文献が選択された上で評価情報の編集処理が開始されている場合には関係ないが、例えば、カテゴリが選択され、当該カテゴリ内のいずれの診療関連文献が評価情報の編集対象となるか決定されていない場合も考えられる。この場合には、このカテゴリに含まれる診療関連文献が表示され、利用者によって評価情報の編集対象となる診療関連文献が選択される。
【０１１０】
診療関連文献が選択されないと、処理回路１１は待機の状態にある（ＳＴ３２のＮＯ）。一方、診療関連文献が選択されると（ＳＴ３２のＹＥＳ）、処理回路１１は、選択された診療関連文献に関する評価情報を出力装置１５上に表示させる（ＳＴ３３）。
【０１１１】
利用者は表示された評価情報（スコア）を入力装置１４の操作を行うことで編集する（ＳＴ３４）。編集が完了したら、例えば図示しない登録ボタンを押し下げて、編集した評価情報を確定させる。すなわち、処理回路１１は、編集した評価情報を改めて記憶装置２に登録する（ＳＴ３５）。
【０１１２】
処理回路１１は、評価情報編集機能を用いて、利用者に対して全ての診療関連文献の評価情報の編集が完了したか否かの問い合わせを行う（ＳＴ３６）。すなわち、処理回路１１は、出力装置１５上に、例えば、診療関連文献を変更してさらに評価情報の編集処理を行うか否かを問う表示を出す。
【０１１３】
例えば、利用者が評価情報の編集が完了した診療関連文献が含まれるカテゴリと同じカテゴリに含まれる他の診療関連文献や検索された他の診療関連文献に対して評価情報の編集を行う場合には（ＳＴ３６のＮＯ）、改めて上述した診療関連文献の選択を行うステップＳＴ３２以下の処理が行われる。
【０１１４】
一方、診療関連文献の評価情報の編集処理が完了した場合には（ＳＴ３６のＹＥＳ）、処理回路１１は、さらに編集対象となる他のカテゴリに属する診療関連文献があるか否かを利用者に問い合わせる（ＳＴ３７）。
【０１１５】
処理回路１１は、利用者から編集対象となる他のカテゴリに属する診療関連文献がある旨の入力を受け取ると（ＳＴ３７のＹＥＳ）、例えば、対象となるカテゴリを選択するための画面を出力装置１５に表示させる（ＳＴ３８）。
【０１１６】
処理回路１１が、利用者が入力装置１４の操作を介してカテゴリの選択をした旨の信号を受信すると、改めて評価情報の編集対象となる診療関連文献の選択処理を行うべく、ステップＳＴ３２に遷移し、選択された診療関連文献に関する評価情報の編集処理が開始される。
【０１１７】
なお、全ての診療関連文献に対する評価情報の編集が完了し、評価情報の編集を行う診療関連文献を含む他のカテゴリもない場合（ＳＴ３７のＮＯ）、或いは、カテゴリを選択するための画面が表示されてもカテゴリが選択されなかった場合（ＳＴ３８のＮＯ）には、評価情報の編集処理は終了する。
【０１１８】
次に図３に戻って、評価情報（スコア）の編集処理が終了すると、例えば、新たな評価情報が付与された診療関連文献を用いた評価情報の分析処理が開始されるか否か、処理回路１１は利用者に問い合わせる（ＳＴ５）。評価情報の分析処理が行われない場合には（ＳＴ５のＮＯ）、これで全ての処理が終了する。
【０１１９】
一方、利用者による入力装置１４の操作を介した評価情報の分析処理を開始する旨の信号を処理回路１１が受信すると（ＳＴ５のＹＥＳ）、評価情報の分析処理が開始される（ＳＴ６）。
【０１２０】
図９は、実施の形態におけるスコア分析の際に出力装置１５に表示される画面例である。図９には、出力装置１５に表示される、分析結果としての２つのカテゴリに重複して含まれる診療関連文献の分布が示されている。
【０１２１】
なお、以下に説明する評価情報の分析処理においては、診療関連文献の評価情報は数値で表わされるスコアで示されている。例えば、また、診療関連文献１つを１つのブロックで表わしており、文献名とカテゴリごとの評価情報がブロック内に示されている。なお、図９においては、診療関連文献は文献を表わすブロックの中で「文献（文献Ａ〜Ｅ」）。と表わされている。
【０１２２】
図９の画面例において、Ｘ軸には「地域」というカテゴリが示され、Ｙ軸には「急性期治療」というカテゴリが示されている。なお、ここでの「地域」というカテゴリはある特定の地域を示すものである。また、Ｘ軸の場合は、基準点である「０」を挟んで右側に「＋」のスコアが、左側に「−」のスコアが示される。一方、Ｙ軸の場合は、基準点を挟んで上側に「＋」のスコアが、下側に「−」のスコアが示される。
【０１２３】
例えば、「文献Ａ」で示されるブロックを見ると、カテゴリＸ（地域）の評価情報を示すスコアは「４２」と表わされている。一方、カテゴリＹ（急性期治療）の評価情報を示すスコアは、「２５１」と表わされている。そのため図９に示す画面例上では、Ｘ軸上基準点に近く、Ｙ軸上は基準点から＋の方向に離れた位置に配置されている。
【０１２４】
図９に示す評価情報の分析結果を見ると、例えば、診療関連文献Ｂについては、当該診療関連文献Ｂに記載されている内容はある特定の地域においては有効な内容である一方、急性期治療に関してはあまり有効な内容は記載されていないと分析することができる。
【０１２５】
一方、診療関連文献Ａについては、ある特定の地域において目立って有効な内容とは言えないものの、急性期治療に関しては非常に有効な内容が記載されていると分析することができる。換言すれば、あまり地域的な特性がなく、多くの地域で有効な急性期治療に関する内容が記載されている文献が診療関連文献Ａであると判断することができる。
【０１２６】
図１０は、実施の形態におけるスコア分析の際に出力装置１５に表示される別の画面例である。図１０に示す診療関連文献の分析結果は、図９に示す場合と異なり、Ｘ軸に示すカテゴリが異なる。図１０では、Ｘ軸は地域のカテゴリを示しているが、ある特定の地域ではなく、日本全国を示している。従って、図９に示す画面例とはことなり、Ｙ軸が画面の左側に移動し、基準点から右に向けてＸ軸が示されている。そして、Ｘ軸は、基準点に近い側が南にある都道府県を、基準点から離れるに従って北上し、基準点から最も遠い位置に北海道が配置される。
【０１２７】
図１０に示す分析結果を見ると、急性期治療に関する内容が記載されている診療関連文献のうち、診療関連文献Ａに記載されている内容は、特に山梨県において高い効果を有することが理解できる。一方、例えば、診療関連文献Ｃについて、当該診療関連文献Ｃに記載されている内容は大分県ではあまり目立った効果は奏しないものと考えられる。
【０１２８】
なお、図９や図１０においては、診療関連文献に付加された評価情報を分析して２次元で表示させた例を示している。但し、評価情報の分析結果の表示は、２次元で表わすものばかりではなく、例えば３次元に表示しても良く、或いは、１つのカテゴリについて評価情報の高い順、或いは、低い順に表示させることもできる。
【０１２９】
以上説明した通り、診療の利用目的に応じて利用者によって設定されたカテゴリの範囲内において、対象となる診療関連文献に関するカテゴリ単位での重要度の判別を可能とする病院情報システム及び病院情報利用プログラムを提供することができる。
【０１３０】
本発明のいくつかの実施形態を説明したが、これら実施形態は、例として提示したものであり、発明の範囲を限定することを意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３１】
１    病院情報システム
１１  処理回路
１４  入力装置
１５  表示装置
１６  記憶回路
１７  通信制御回路
１８  リムーバブルディスク
３    ビッグデータデータベース
【図１】
2019046398.tif 000003
【図２】
2019046398.tif 000004
【図３】
2019046398.tif 000005
【図４】
2019046398.tif 000006
【図５】
2019046398.tif 000007
【図６】
2019046398.tif 000008
【図７】
2019046398.tif 000009
【図８】
2019046398.tif 000010
【図９】
2019046398.tif 000011
【図１０】
2019046398.tif 000012